(57)【要約】      （修正有）【課題】高い位置にある冷蔵室の棚奥や冷蔵庫棚奥内に置かれた貯蔵品が見えるようにするための冷蔵庫内ミラー反射具を提供する。【解決手段】冷蔵室天面部７の上部の位置もしくは冷蔵庫庫内奥背面２にミラー板嵌脱支持具本体１０を備える。第一棚３、第二棚４、第三棚５等の棚奥裏天面部にミラー板嵌脱支持具本体１０に備えてある上面接着部で固定するように設ける。ミラー板嵌脱支持具本体１０に備えてある嵌脱支持具部にミラー反射板本体９の上部面の嵌挿面部を嵌入するように設け、ミラー反射板本体９を固定するように装着する。【選択図】図１
0003174268.tif 000002
【実用新案登録請求の範囲】
【請求項１】
冷蔵庫庫内の型式にこだわらず、冷蔵室天面部を備えた冷蔵庫庫内奥背面に第一棚、第二棚、第三棚、第四棚等を設けた冷蔵庫本体と、冷蔵室天面部の上部の位置もしくは冷蔵庫庫内奥背面にミラ−板嵌脱支持具本体に備えてある背面接着部もしくは上面接着部で固定するように設け、第一棚、第二棚、第三棚、第四棚等の裏天面部にミラ−板嵌脱支持具本体に備えてある上面接着部で固定するように設け、ミラ−板嵌脱支持具本体に備えてある嵌脱支持具部に、ミラー反射板本体の上部面の嵌挿面部を嵌入するように設け、ミラー反射板本体を固定するように設け、ミラー反射板本体に備えたミラー反斜面に冷蔵庫内の奥に入れた貯蔵品を映し見える様にした事を特徴とする簡易取付け型の冷蔵庫内ミラー反射板と支持具。
【請求項２】
ミラー反射板本体に備えた上部面接着部にて、冷蔵室天面部の上部に直接固定するように設け、冷蔵庫庫内奥背面に第一棚、第二棚、第三棚、第四棚等を設け棚下面の奥の位置に支えている冷蔵庫庫内奥背面にミラ−板嵌脱支持具本体に設けてある背面接着部で固定するように設け、冷蔵庫庫内の型式にこだわらず、冷蔵庫内の奥に入れた貯蔵品を映し見える様にした事を特徴とする請求項１記載の簡易取付け型の冷蔵庫内ミラー反射板と支持具。
【請求項３】
ミラー反射板本体の基本素材はポリカーボネイト板（反射鏡）を加工して基本素材としているが、冷蔵庫庫内の型式にこだわらず、冷蔵庫内の奥に入れた貯蔵品が映るその他の鏡体になる素材の代用を設け、冷蔵庫内の奥に入れた貯蔵品を映し見える様にした事を特徴とする請求項１記載の簡易取付け型の冷蔵庫内ミラー反射板と支持具。
【考案の詳細な説明】
【技術分野】
【０００１】  本考案は冷蔵庫棚奥内部及び冷蔵室天面部分にミラーを設けた、冷蔵庫庫内の型式にこだわらず、冷蔵庫内の棚の手前に背の高い貯蔵品などを置いたとき、奥に置かれた背の低い貯蔵品などが冷蔵庫の扉を開いたとき奥内に置かれた貯蔵品もよく見えるようにミラーに映すように設けた、冷蔵庫の庫内に設けた簡易取付け型の冷蔵庫内ミラー反射板と支持具に関するものである。
【背景技術】
【０００２】  従来、冷蔵庫の棚奥に入れた貯蔵品の食品などは、棚手前に背の高い品などを置いたとき、棚奥の食品などが見えなくなり、使用しない状態になりやすく、賞味期限切れやおなじ物を再購入等する事になってしまう事もある。また家庭冷蔵庫並びに業務用冷蔵庫の冷蔵庫では、冷蔵庫の高さの高低に関わらないで、冷蔵庫の棚奥に置かれた貯蔵品の食品などは見えにくくなる、高さの高い冷蔵庫に置いては、身長の小柄な人は上段に置かれた貯蔵品の食品などは、見えにくく、奥棚に置かれた貯蔵品の食品などは、見落としたり忘れがちになり、賞味期限内に使用する事ができなかったりして廃棄ロスにもなるなどの問題があった。冷蔵庫の前扉を開き、貯蔵室の棚奥にあるものを見えるように鏡に映すように設けた、冷蔵庫の従来の技術の例は特開２００２−１１５９６１号、特開２００１−９９５３３号、実開昭６０−１８５１９１号、特開平２−７１０８３号、実開昭６０−１６２８７６号、特開平５−３４６２８５号公報に開示されている【０００３】  このうち特開２００１−９９５３３号の冷蔵庫の貯蔵室の高さ位置の高い冷蔵庫の上段の貯蔵品が利用者の水平目線より高くなり不便をようする冷蔵庫を対称にし、貯蔵室が高い貯蔵室空間の上部奥隅部に、角度調節可能な鏡を設けたもので、上段の貯蔵品のみが見えるように構成した冷蔵庫である。【０００４】  また特開２００２−１１５９６１号は、冷蔵室天上面の最上段棚に置いた食品がみえるように反射板を取り付け最上段棚に置いた食品がみえるように、構成した冷蔵庫である。【０００５】  また実開昭６０−１６２８７６号は、冷蔵庫が利用者より高く庫内の死角部分を映すように高い庫内の天上部に鏡を水平に設け、庫内の死角部分を映すように構成した冷蔵庫である【０００６】  また実開昭６０−１８５１９１号は、冷蔵庫庫内奥の壁面に鏡を前面に設けるように構成した冷蔵庫であるが、冷蔵庫庫内奥の壁面全体を鏡に構成した為、庫内灯の反射光により、灯内に光が鏡に屈折し、貯蔵品を見えにくくして鏡の効果を半減する冷蔵庫となり、遣い勝手が悪いという問題がある。【０００７】  また特開平２−７１０８３号は、冷蔵庫の本体下部に設けた、製氷室の回転角度の開閉扉の内側に反射鏡を設置した冷蔵庫であるが、使用する人より低く設置されている製氷室の回転角度の開閉扉側に反射鏡を設け、低い位置にある製氷室奥内を鏡に映して見るが、貯蔵品の鏡の映り方は上下さかさまに映るので品物の確認は判別しにくくなる等の問題がある。【０００８】  また特開平５−３４６２８５号は、冷蔵室の内箱側面と内箱奥面に平面鏡を複数枚設け、貯蔵室の奥に置かれた貯蔵品を見やすくするため、庫内に鏡を設けた冷蔵庫であるが使用している平面鏡は貯蔵品の出し入れにて鏡を破砕するなどの問題がある。
【考案の開示】
【考案が解決しようとする課題】
【０００９】  本考案は、上記課題を解決する為に提案されたものであり、冷蔵庫の前扉を開いたときに、冷蔵室の棚奥に置いた貯蔵品の食品等が良く見えるようにした、また従来の冷蔵庫にはこのような気遣いの鏡はついていないものが流通されているのが現状で、各社メーカーの冷蔵庫型式に捕われず、冷蔵室の複数棚奥内及び高さが高く庫内奥の見えにくい冷蔵庫の冷蔵庫庫内を天上面からでも良く見えるようにできる簡易取付け型の冷蔵庫内ミラー反射板と支持具を提供するものであり前述の欠点を解決しようとするものである。
【課題を解決するための手段】
【００１０】  本考案は、上述目的を達成するために本考案は各社メーカーの冷蔵庫型式に捕われず、冷蔵室内の天上面に簡易取付け型の冷蔵庫内ミラー反射板と支持具設置したもので、前記ミラー反射板本体は４５°角度で形状維持するため、冷蔵庫扉を開いたときの目線は前面斜め上部からミラー反射板本体は４５°角度にある為棚奥内の貯蔵品が歪みの少ない映り方で、棚奥に置かれた貯蔵品等が、正確に見る事ができ、第一棚、第二棚、第三棚、第四棚、など複数の棚したに簡易取付け型の冷蔵庫内ミラー反射板と支持具を設置する事により、棚奥に置かれた貯蔵品等を見る事ができる事により各社メーカーの冷蔵庫型式に捕われず、従来から鏡等のついていない冷蔵庫全てに設置できるようにした事で問題点を解決している。
【考案の効果】
【００１１】  上述の様に、本考案の簡易取付け型の冷蔵庫内ミラー反射板と支持具は、各社メーカーの冷蔵庫型式に捕われず、どの冷蔵庫型式にも簡易に冷蔵庫庫内の位置に支持具を設ける事で、ミラー反射板を固定することができ、しかも冷蔵庫庫内を狭くする事も少なく、支持具は冷蔵庫天面、棚面、冷蔵庫奥内面に固定する事ができることにより、ミラー反射板の効果を発揮出来る位置に保持できるため、棚奥に置いた貯蔵品の食品ロスを防止として役立つ。
【考案を実施するための最良の形態】
【００１２】  以下本考案の実施例図８を用いて実施の形態について説明する。
（イ）冷蔵室天面部（７）の上部の位置もしくは冷蔵庫庫内奥背面（２）にミラ−板嵌脱支持具本体（１０）に備える。
（ロ）第一棚（３）、第二棚（４）、第三棚（５）、第四棚（６）の棚裏天面部にミラ−板嵌脱支持具本体（１０）に備えてある上面接着部（１２）で固定するように設ける。
（ハ）ミラ−板嵌脱支持具本体（１０）に備えてある嵌脱支持具部（１１）に、ミラー反射板本体（９）の上部面の嵌挿面部（１６）を嵌入するように設け、ミラー反射板本体（９）を固定するように挿着する。【００１３】  本考案の実施例は上述のごとき構成からなるものであるから、以上の構成でこれを使用するときは、冷蔵庫の前扉を開放し、棚奥の貯蔵品をミラー反射板本体（９）に備えたミラー反斜面（１４）に冷蔵庫内の奥に入れた貯蔵品を映し見えることにより賞味期限切れやおなじ物を再購入等することを容易に防ぐ事ができる。【００１４】  またミラー反斜面（１４）が汚れたりしたとしても清掃管理も容易に行うように構成してあり、ミラ−板嵌脱支持具本体（１０）に設けた嵌脱支持具部（１１）から容易にミラー反射板本体（９）に設けた嵌挿面部（１６）から嵌脱される。
【図面の簡単な説明】
【００１５】
【図１】  本考案の実施例における冷蔵庫の縦断面図
【図２】  本考案の部品を示す正面斜視図
【図３】  本考案の部品を示す右側面斜視図
【図４】  本考案のミラー反射板本体部品を示す正面斜視図
【図５】  本考案のミラー反射板本体部品を示す右側面斜視図
【図６】  本考案の実施例を示す冷蔵庫の正面斜視図
【図７】  本考案の実施例を示す冷蔵庫の正面斜視図
【図８】  本考案の部品使用状態を示す斜視図
【符号の説明】
【００１６】  １    冷蔵庫本体
２    冷蔵庫庫内奥背面
３    第一棚
４    第二棚
５    第三棚
６    第四棚
７    冷蔵室天面部
８    冷蔵室上部前扉
９    ミラー反射板本体
１０    ミラー板嵌脱支持具本体
１１    嵌脱支持具部
１２    上面接着部
１３    背面接着部
１４    ミラー反斜面
１５ａ  上部面接着部
１５ｂ  上部面接着部
１６    嵌挿面部
１７    ４５°角度
１８    冷蔵室本体上部
１９    冷蔵庫内正面
【図１】
0003174268.tif 000003
【図２】
0003174268.tif 000004
【図３】
0003174268.tif 000005
【図４】
0003174268.tif 000006
【図５】
0003174268.tif 000007
【図６】
0003174268.tif 000008
【図７】
0003174268.tif 000009
【図８】
0003174268.tif 000010
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫本体の冷蔵庫庫内に冷蔵室天面部の位置もしくは冷蔵庫庫内奥背面位置にミラ−板嵌脱支持具本体に備えてある背面接着部もしくは冷蔵室天面部に上面接着部で固定するように設け、冷蔵庫本体の冷蔵庫庫内に備えてある第一棚、第二棚、第三棚等の棚奥面に位置する棚裏天面部にミラ−板嵌脱支持具本体に備えてある上面接着部で固定するように設ける。もしくは第一棚、第二棚、第三棚等の棚裏面に位置する冷蔵庫庫内奥背面位置にミラ−板嵌脱支持具本体に備えてある背面接着部で冷蔵庫庫内奥背面に固定するように設け、各部に取り付け固定されたミラ−板嵌脱支持具本体に備えてある嵌脱支持具部に、ミラー反射板本体に備えた嵌挿部を嵌脱支持具部に嵌入するように設け、ミラー反射板本体を固定するように設け、ミラー反射板本体に備えたミラー反斜面に冷蔵庫内の奥に入れた貯蔵品を映し見える様にした事を特徴とする簡易取付け型の冷蔵庫内ミラー反射板と支持具。
【請求項２】
ミラー反射板本体に備えた上部面接着部にて、冷蔵室天面部の上部にミラ−板嵌脱支持具本体を設けないでミラー反射板本体を直接固定するように設ける。冷蔵庫庫内奥背面に第一棚、第二棚、第三棚等の棚下面の奥棚の位置にミラ−板嵌脱支持具本体を設けないでミラー反射板本体を背面接着部で直接固定するように設け冷蔵庫内の奥に入れた貯蔵品を反射映し見える様にした事を特徴とする請求項１記載の簡易取付け型の冷蔵庫内ミラー反射板と支持具。
【請求項３】
ミラー反射板本体の素材が、ポリカーボネイト板あるいはその他の鏡体になる素材であある事を特徴とする請求項１記載の簡易取付け型の冷蔵庫内のミラー反射具と支持具。
【手続補正２】
【補正対象書類名】明細書
【補正対象項目名】全文
【補正方法】変更
【補正の内容】
【考案の詳細な説明】
【技術分野】
【０００１】  本考案は冷蔵庫棚奥内部及び冷蔵室天面部分にミラーを設け、冷蔵庫内の棚の手前に背の高い貯蔵品などを置いたとき、奥  に置かれた背の低い貯蔵品などが冷蔵庫の扉を開いたとき奥内に置かれた貯蔵品もよく見えるようにミラーに映すように設け、冷蔵庫の庫内に設けた簡易取付  け型の冷蔵庫内ミラー反射板と支持具に関するものである。
【背景技術】
【０００２】  従来、冷蔵庫の棚奥に入れた貯蔵品の食品などは、棚手前に背の高い品などを置いたとき、棚奥の食品などが見えなくなり、使用しない状態になりやすく、賞味期限切れやおなじ物を再購入等する事になってしまう事もある。また家庭冷蔵庫並びに業務用冷蔵庫の冷蔵庫では、冷蔵庫の高さの高低に関わらないで、冷蔵庫の棚奥に置かれた貯蔵品の食品などは見えにくくなる、高さの高い冷蔵庫に置いては、身長の小柄な人は上段に置かれた貯蔵品の食品などは、見えにくく、奥棚に置かれた貯蔵品の食品などは、見落としたり忘れがちになり、賞味期限内に使用する事ができなかったりして廃棄ロスにもなるなどの問題があった。冷蔵庫の前扉を開き、貯蔵室の棚奥にあるものを見えるように鏡に映すように設けた、冷蔵庫の従来の技術の例は特開２００２−１１５９６１号、特開２００１−９９５３３号、実開昭６０−１８５１９１号、特開平２−７１０８３号、実開昭６０−１６２８７６号、特開平５−３４６２８５号公報に開示されている【０００３】  このうち特開２００１−９９５３３号の冷蔵庫の貯蔵室の高さ位置の高い冷蔵庫の上段の貯蔵品が利用者の水平目線より高くなり不便をようする冷蔵庫を対称にし、貯蔵室が高い貯蔵室空間の上部奥隅部に、角度調節可能な鏡を設けたもので、上段の貯蔵品のみが見えるように構成した冷蔵庫である。【０００４】  また特開２００２−１１５９６１号は、冷蔵室天上面の最上段棚に置いた食品がみえるように反射板を取り付け最上段棚に置いた食品がみえるように、構成した冷蔵庫である。【０００５】  また実開昭６０−１６２８７６号は、冷蔵庫が利用者より高く庫内の死角部分を映すように高い庫内の天上部に鏡を水平に設け、庫内の死角部分を映すように構成した冷蔵庫である【０００６】  また実開昭６０−１８５１９１号は、冷蔵庫庫内奥の壁面に鏡を前面に設けるように構成した冷蔵庫であるが、冷蔵庫庫内奥の壁面全体を鏡に構成した為、庫内灯の反射光により、灯内に光が鏡に屈折し、貯蔵品を見えにくくして鏡の効果を半減する冷蔵庫となり、遣い勝手が悪いという問題がある。【０００７】  また特開平２−７１０８３号は、冷蔵庫の本体下部に設けた、製氷室の回転角度の開閉扉の内側に反射鏡を設置した冷蔵庫であるが、使用する人より低く設置されている製氷室の回転角度の開閉扉側に反射鏡を設け、低い位置にある製氷室奥内を鏡に映して見るが、貯蔵品の鏡の映り方は上下さかさまに映るので品物の確認は判別しにくくなる等の問題がある。【０００８】  また特開平５−３４６２８５号は、冷蔵室の内箱側面と内箱奥面に平面鏡を複数枚設け、貯蔵室の奥に置かれた貯蔵品を見やすくするため、庫内に鏡を設けた冷蔵庫であるが使用している平面鏡は貯蔵品の出し入れにて鏡を破砕するなどの問題がある。
【考案の開示】
【考案が解決しようとする課題】
【０００９】  本考案は、上記課題を解決する為に提案されたものであり、冷蔵庫の前扉を開いたときに、冷蔵室の棚奥に置いた貯蔵品の食品等が良く見えるようにした、また従来の冷蔵庫にはこのような気遣いの鏡はついていないものが流通されているのが現状で、冷蔵室の複数棚奥内及び高さが高く庫内奥の見えにくい冷蔵庫の冷蔵庫庫内を天上面からでも良く見えるようにできる簡易取付け型の冷蔵庫内ミラー反射板と支持具を提供するものであり前述の欠点を解決しようとするものでる。
【課題を解決するための手段】
【００１０】  本考案は、上述目的を達成するために本考案は冷蔵室内の天上面に簡易取付け型の冷蔵庫内ミラー反射板と支持具設置したもので、前記ミラー反射板本体は４５°角度で形状維持するため、冷蔵庫扉  を開いたときの目線は前面斜め上部からミラー反射板本体は４５°角度にある為  棚奥内の貯蔵品が歪みの少ない映り方で、棚奥に置かれた貯蔵品等が、正確に見  る事ができ、第一棚、第二棚、第三棚、など複数の棚下面などに簡易取付け型の冷蔵庫内ミラー反射板と支持具を設置する事により、棚奥に置かれた貯蔵品  等を見る事ができ、従来から鏡等のついていない冷蔵庫全てに設置できるようにした事で問題点を解決している。
【考案の効果】
【００１１】  上述の様に、本考案の簡易取付け型の冷蔵庫内ミラー反射板と支持具は、どの冷蔵庫型式にも簡易に冷蔵庫庫内の位置に支持具を設ける事で、ミラー反射板を固定することができ、しかも冷蔵庫庫内  を狭くする事も少なく、支持具は冷蔵庫天面、棚面、冷蔵庫奥内面に固定する事  ができることにより、ミラー反射板の効果を発揮出来る位置に保持できるため、棚奥に置いた貯蔵品の食品ロスを防止として役立つ。
【考案を実施するための最良の形態】
【００１２】  以下本考案の実施例図８を用いて実施の形態について説明する。
（イ）冷蔵室天面部（７）の上部の位置もしくは冷蔵庫庫内奥背面（２）にミラ−板嵌脱支持具本体（１０）に備える。
（ロ）第一棚（３）、第二棚（４）、第三棚（５）等の棚奥裏天面部にミラ−板嵌脱支持具本体（１０）に備えてある上面接着部（１２）で固定するように設ける。
（ハ）ミラ−板嵌脱支持具本体（１０）に備えてある嵌脱支持具部（１１）にミラー反射板本体（９）の上部面の嵌挿面部（１６）を嵌入するように設け、ミラー反射板本体（９）を固定するように挿着する。【００１３】  本考案の実施例は上述のごとき構成からなるものであるから、以上の構成でこれを使用するときは、冷蔵庫の前扉を開放し、棚奥の貯蔵品をミラー反射板本体（９）に備えたミラー反斜面（１４）に冷蔵庫内の奥に入れた貯蔵品を映し見えることにより賞味期限切れやおなじ物を再購入等することを容易に防ぐ事ができる。【００１４】  またミラー反斜面（１４）が汚れたりしたとしても清掃管理も容易に行うように構成してあり、ミラ−板嵌脱支持具本体（１０）に設けた嵌脱支持具部（１１）から容易にミラー反射板本体（９）に設けた嵌挿面部（１６）から嵌脱される。
【図面の簡単な説明】
【００１５】
【図１】  本考案の実施例における冷蔵庫の縦断面図
【図２】  本考案の部品を示す正面斜視図
【図３】  本考案の部品を示す右側面斜視図
【図４】  本考案のミラー反射板本体部品を示す正面斜視図
【図５】  本考案のミラー反射板本体部品を示す右側面斜視図
【図６】  本考案の実施例を示す冷蔵庫の正面斜視図
【図７】  本考案の実施例を示す冷蔵庫の正面斜視図
【図８】  本考案の部品使用状態を示す斜視図
【符号の説明】
【００１６】  １  冷蔵庫本体
２  冷蔵庫庫内奥背面
３  第一棚
４  第二棚
５  第三棚
６  第四棚
７  冷蔵室天面部
８  冷蔵室上部前扉
９  ミラー反射板本体
１０  ミラ−板嵌脱支持具本体
１１  嵌脱支持具部
１２  上面接着部
１３  背面接着部
１４  ミラー反斜面
１５ａ  上部面接着部
１５ｂ  上部面接着部
１６  嵌挿面部
１７  ４５°角度
１８  冷蔵室本体上部
１９  冷蔵庫内正面
【手続補正書】
【提出日】平成23年9月15日(2011.9.15)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫庫内奥面におかれた貯蔵品の確認において、
（１）ミラー板嵌脱支持具本体にコの字形状の嵌脱支持具部を設け、ミラー板嵌脱支持具本体に設けた嵌脱支持具部の上部面に上面接着部を備え、ミラー板嵌脱支持具本体の背面に背面接着部を設け、
（２）ミラー反斜板本体の上部面に嵌挿部の位置を備え、ミラー反斜板本体の正面はミラー（鏡）になっておりミラー反斜板本体に備えた嵌挿部に対し内側にミラー反斜面は約４５°角度の形状に設け、ミラー反斜板本体に備えたミラー反斜面はミラー（鏡）に映る物が歪みの少ない約４５°角度の傾斜で形状を保持するように設け、
（３）ミラー反斜板本体の上部面に備えた嵌挿部はミラー板嵌脱支持具本体に設けた嵌脱支持具部に嵌入し保持できるように設け、
（４）冷蔵庫本体の奥面にあたる、冷蔵庫庫内奥背面にミラー板嵌脱支持具本体の背面に設けた背面接着部もしくは上面接着部で止めるように設け、ミラー反斜板本体に備えた嵌挿部を嵌脱支持具部に嵌入し保持できるように設け、
（５）冷蔵庫本体内に備えられている第一棚、第二棚、第三棚、他複数棚などの、棚下面の奥棚の位置にミラ−板嵌脱支持具本体に設けた背面接着部もしくは上面接着部で止めるように設け、ミラー反斜板本体に備えた嵌挿部を嵌脱支持具部に嵌入し保持できるように設け、
（６）嵌脱支持具部を用いたミラー反斜板本体に備えた嵌挿部は、嵌入し保持するとともに、容易に外すことも可能であり、着脱が容易であり、清掃なども簡易に行う事ができ、
以上からなるミラー反射板本体に備えたミラー反斜面に冷蔵庫内の奥に入れた貯蔵品を映し見える様にした事を特徴とする簡易取付け型の冷蔵庫内ミラー反射板と支持具。
【請求項２】
（１）ミラー反斜板本体の上部面に備えた嵌挿部の位置を左右に挟んで、両側に二つの上部面接着部を設け、冷蔵庫本体の冷蔵庫天面部などに直接固定してミラー反斜板本体を設け、
（２）ミラー反射板本体に備えた上部面接着部にて、板嵌脱支持具本体を設けないでミラー反射板本体を直接固定するように設け、冷蔵庫庫内奥側に第一棚、第二棚、第三棚等の複数棚下面の奥棚の位置にミラ−板嵌脱支持具本体を設けないで、ミラー反射板本体に備えた上部面接着部にて、直接固定するように設け、
以上からなる冷蔵庫内の奥内貯蔵品を反射映し見える様にした事を特徴とする請求項１記載の簡易取付け型の冷蔵庫内ミラー反射板。
【請求項３】
ミラー反射板本体の素材が、ポリカーボネイト板あるいはその他の鏡体になる素材である事を特徴とする請求項１、請求項２、記載の簡易取付け型の冷蔵庫内のミラー反射具と支持具。
【手続補正書】
【提出日】平成23年12月12日(2011.12.12)
【手続補正２】
【補正対象書類名】実用新案登録請求の範囲
【補正対象項目名】全文
【補正方法】変更
【補正の内容】
【実用新案登録請求の範囲】
【請求項１】
冷蔵庫庫内奥面におかれた貯蔵品の確認において、（１）ミラー板嵌脱支持具本体にコの字形状の嵌脱支持具部を設け、ミラー板嵌脱支持具本体に設けた嵌脱支持具部の上部面に上面接着部を備え、ミラー板嵌脱支持具本体の背面に背面接着部を設け、（２）ミラー反射板本体の上部面に嵌挿部の位置を備え、ミラー反射板本体の正面はミラー（鏡）になっておりミラー反射板本体に備えた嵌挿部に対し内側にミラー反射面は約４５°角度の形状に設け、ミラー反射板本体に備えたミラー反射面はミラー（鏡）に映る物が歪みの少ない約４５°角度の傾斜で形状を保持するように設け、（３）ミラー反射板本体の上部面に備えた嵌挿部はミラー板嵌脱支持具本体に設けた嵌脱支持具部に嵌入し保持できるように設け、（４）冷蔵庫本体の奥面にあたる、冷蔵庫庫内奥背面にミラー板嵌脱支持具本体の背面に設けた背面接着部もしくは上面接着部で止めるように設け、ミラー反射板本体に備えた嵌挿部を嵌脱支持具部に嵌入し保持できるように設け、（５）冷蔵庫本体内に備えられている第一棚、第二棚、第三棚、他複数棚などの、棚下面の奥棚の位置にミラ−板嵌脱支持具本体に設けた背面接着部もしくは上面接着部で止めるように設け、ミラー反射板本体に備えた嵌挿部を嵌脱支持具部に嵌入し保持できるように設け、（６）嵌脱支持具部を用いたミラー反射板本体に備えた嵌挿部は、嵌入し保持する事ができるように設け、  以上からなるミラー反射板本体に備えたミラー反射面に冷蔵庫内の奥に入れた貯蔵品を映し見える様にした事を特徴とする簡易取付け型の冷蔵庫内ミラー反射板付き支持具
【請求項２】
（１）ミラー反射板本体の上部面に備えた嵌挿部の位置を左右に挟んで、両側に二つの上部面接着部を設け、冷蔵庫本体の冷蔵庫天面部などに直接固定してミラー反射板本体を設け、（２）ミラー反射板本体に備えた上部面接着部にて、板嵌脱支持具本体を設けないでミラー反射板本体を直接固定するように設け、冷蔵庫庫内奥側に第一棚、第二棚、第三棚等の複数棚下面の奥棚の位置にミラ−板嵌脱支持具本体を設けないで、ミラー反射板本体に備えた上部面接着部にて、直接固定するように設け、  以上からなる冷蔵庫内の奥内貯蔵品を反射映し見える様にした事を特徴とする請求項１記載の簡易取付け型の冷蔵庫内ミラー反射板付き支持具。
【請求項３】
ミラー反射板本体の素材が、ポリカーボネイト板あるいはその他の鏡体になる素材である事を特徴とする請求項１または請求項２に記載の簡易取付け型の冷蔵庫内のミラー反射板付き支持具。